(57)【要約】【課題】植物の栽培方法において、植物の栽培を開始するときに、予め増土に必要なスペースを考慮せずに容器に用土を充填しても、栽培対象とした植物の生長の程度に合わせて容器の上面に増土を行うことができるようにする。【解決手段】側壁部１１と底壁部１７とによって形成され、上面が開口した植物の栽培に用いる植物栽培用容器（例えば植木鉢１０）は、側壁部１１に植木鉢１０の高さ方向の寸法を調節する高さ寸法調節機構（例えばスライド部材１２とその固定手段）を備えたことを特徴とする。【選択図】図４
2010233494.tif 000002
【特許請求の範囲】
【請求項１】
側壁部と底壁部とによって形成され、上面が開口した植物の栽培に用いる植物栽培用容器であって、
前記容器の高さ方向の寸法を調節する高さ寸法調節機構を備えた
ことを特徴とする植物栽培用容器。
【請求項２】
前記高さ寸法調節機構は、
側壁部に対して上下方向にスライド可能なスライド部材と、
前記スライド部材を所定の位置で固定する固定手段からなる
請求項１記載の植物栽培用容器。
【請求項３】
前記側壁部と前記スライド部材のうち、前記容器の中心からみて外側に配設されたものには複数の係合孔が形成され、
内側に配設されたものには複数の係合凹部又もしくは係合孔が形成されており
前記固定手段は、
前記係合孔と前記係合凹部もしくは係合孔に嵌入可能な係合部を備え、
前記側壁部に取り付け可能な係合部材からなる
請求項２記載の植物栽培用容器。
【請求項４】
前記側壁部と前記スライド部材の一方に複数の係合凹部が形成され、
他方には、複数の係合凸部が形成され、
前記固定手段は、
前記係合凹部と前記係合凸部とを嵌合することからなる
請求項２または請求項３に記載の植物栽培用容器。
【請求項５】
前記スライド部材は、弾性体で形成された
請求項２から請求項４のうちいずれか１項に記載の植物栽培用容器
【請求項６】
前記スライド部材は、前記側壁部の内側に形成され、
前記側壁部の内側に、用土を充填するための生育部を有する
請求項２から請求項５のうちいずれか１項に記載の植物栽培用容器
【請求項７】
植物の栽培方法であって、
栽培対象とする植物の生育段階を２以上の段階に分類し、
側壁部と底壁部とによって形成され、上面が開口した植物の栽培に用いる植物栽培用容器であって、前記容器の高さ方向の寸法を調節する高さ寸法調節機構を備えた植物栽培用の容器を用意し、
前記容器に、第１生育段階に応じた肥料を混合した用土を充填し、植物の種若しくは苗を植え付け、
前記種若しくは苗の成長が第２生育段階に至ったときに、
前記第1生育段階に応じた肥料を混合した用土の上から第２生育段階に応じた用土を追加し、
以後、前記栽培対象とする植物の成長に応じて、次の生育段階に応じた用土を追加していき、
前記容器の側壁部の上端付近まで用土が充填された場合に、前記高さ寸法調節機構により前記容器の高さ寸法を調節することにより、生育を進行させる
ことを特徴とする植物の栽培方法。
【発明の詳細な説明】
【技術分野】
【０００１】
本発明は、植物栽培用容器および植物栽培用容器を用いた植物の栽培方法に関する。
【背景技術】
【０００２】
従来から、鉢やプランター等の容器を用いた野菜等の栽培方法として、多くの方法が提案されている。本願に係る発明をした者の１人が先に出願し、登録された栽培方法もその１つである（特許文献１）。これは、上面が開口し底部に連通孔を有する大きさの異なる容器を複数個用意し、大きい容器から小さい容器の順番で、用土を詰めながら容器を重ねていき、一番小さな容器に野菜などの種若しくは苗を植えつけ、その種若しくは苗が所定の各生育段階に至った時に、容器相互の間に形成された収容空間内に目的とする野菜の各生育段階に応じて肥料を混合した用土を適量増土し、必要なら追肥しながら生育を進行させる栽培方法であり、それなりの良い結果を得ることができた。
【先行技術文献】
【特許文献】
【０００３】
【特許文献１】特許２９６０３８２号公報
【発明の概要】
【発明が解決しようとする課題】
【０００４】
しかしながら、上述した栽培方法では、栽培対象の植物の下方に増土することしかできない。そのため、例えばニンジンなどの、生長すると根の一部が地表に露出するような植物を栽培する場合に、露出した根を覆うために必要な分量の増土を行うためには、予め増土に必要なスペースを予測して、その分のスペースを残して容器に用土を充填して、植物の種などを植えつけなければならないといった問題があった。
【０００５】
本発明は、上記の問題を解決すべく、植物の栽培を開始するときに、予め増土に必要なスペースを考慮せずに容器に用土を充填しても、栽培対象とした植物の生長の程度に合わせて容器の上面に増土を行うことができるようにすることを目的とする。
【課題を解決するための手段】
【０００６】
本発明の植物栽培用容器は、側壁部と底壁部とによって形成され、上面が開口した植物の栽培に用いる容器であって、前記容器の高さ方向の寸法を調節する高さ寸法調節機構を備えたことを特徴とする。
【０００７】
上記の構成としたことで、植物の栽培を開始するときに、予め増土に必要なスペースを考慮せずに容器に用土を充填しても、栽培対象とした植物の生長の程度に合わせて容器の上面に増土を行うことができるようなる。
【０００８】
前記高さ寸法調節機構は、側壁部に対して上下方向にスライド可能なスライド部材と、  前記スライド部材を所定の位置で固定する固定手段からなる構成とされていてもよい。
【０００９】
前記側壁部と前記スライド部材のうち、前記容器の中心からみて外側に配設されたものには複数の係合孔が形成され、内側に配設されたものには複数の係合凹部もしくは係合孔が形成されており、前記固定手段は、前記係合孔と前記係合凹部もしくは係合孔に嵌入可能な係合部を備え、前記側壁部に取り付け可能な係合部材からなる構成とされていてもよい。
【００１０】
前記側壁部と前記スライド部材の一方に複数の係合凹部が形成され、他方には、複数の係合凸部が形成され、前記固定手段は、前記係合凹部と前記係合凸部とを嵌合することからなる構成とされていてもよい。
【００１１】
前記スライド部材は、弾性体で形成された構成とされていてもよい。
【００１２】
前記スライド部材は、前記側壁部の内側に形成され、前記側壁部の内側に、用土を充填するための生育部を有する構成とされていてもよい。
【００１３】
また、本発明の植物の栽培方法は、植物の栽培方法であって、栽培対象とする植物の生育段階を２以上の段階に分類し、側壁部と底壁部とによって形成され、上面が開口した植物の栽培に用いる植物栽培用容器であって、前記容器の高さ方向の寸法を調節する高さ寸法調節機構を備えた植物栽培用の容器を用意し、前記容器に、第１生育段階に応じた肥料を混合した用土を充填し、植物の種若しくは苗を植え付け、前記種若しくは苗の成長が第２生育段階に至ったときに、前記第1生育段階に応じた肥料を混合した用土の上から第２生育段階に応じた用土を追加し、以後、前記栽培対象とする植物の成長に応じて、次の生育段階に応じた用土を追加していき、前記容器の側壁部の上端付近まで用土が充填された場合に、前記高さ寸法調節機構により前記容器の高さ寸法を調節することにより、生育を進行させることを特徴とする
【発明の効果】
【００１４】
本発明によれば、植物の栽培を開始するときに、予め増土に必要なスペースを考慮せずに容器に用土を充填しても、栽培対象とした植物の生長の程度に合わせて容器の上面に増土を行うことができるようになる。
【図面の簡単な説明】
【００１５】
【図１】本発明に係る植物栽培用容器の一実施の形態を示す斜視図である。
【図２】本発明に係る植物栽培用容器の一実施の形態を示す断面図である。
【図３】本発明に係る植物栽培用容器の一実施の形態を示す断面図である。
【図４】本発明の植物の栽培方法の実施の形態を示す断面図である。
【図５】他の実施の形態を示す断面図である。
【図６】他の実施の形態を示す断面図である。
【発明を実施するための形態】
【００１６】
以下、本発明の一実施の形態について図面を参照して説明する。
【００１７】
図１（Ａ）は、本発明の一実施の形態を示す植木鉢１０の斜視図である。図１（Ａ）に示すように、植木鉢１０は、係合孔１４が形成された側壁部１１と、摘み部１３を有するスライド部材１２と、係合部材１６と、底壁部１７（図示せず）を有している。
【００１８】
図１（Ｂ）は、図１（Ａ）に示したスライド部材１２の斜視図である。図１（Ｂ）に示すように、スライド部材１２は、側壁部１１と比べて一回り小さい形に形成され、さらに係合孔１５が形成されている。
【００１９】
なお、側壁部１１とスライド部材１２に形成された係合孔１４，１５のうち、容器の中心からみて内側に配設されたものは係合凹部であってもよい。
【００２０】
係合部材１６は、弾性を有し、合致した状態にある係合孔１４と係合孔１５に嵌入可能な部材である。なお、スライド部材１２の固定手段は、係合部材１６を係合孔１４，１５に嵌入することには限られず、例えば、係合孔１４，１５の代わりにそれぞれねじ孔が形成され、係合部材は、係合孔１４，１５の代わりに形成されたねじ孔を連結するねじである構成とされていてもよい。
【００２１】
なお、スライド部材１２には摘み部１３が形成されており、スライド部材１２を側壁部１１に対して上下方向に動かす作業性を向上させている。
【００２２】
図２は、植木鉢１０の断面図であり、図２（Ａ）は、係合部材１６が取り外され、側壁部１１の内部にスライド部材１２が収納された状態を示したものである。図２に示すように、底壁部１７は側壁部１１にのみ結合されている。この状態から、スライド部材１２を上方向にスライドさせ、係合孔１４，１５を互いに位置合わせして、そこに係合部材１６を嵌入させることで、植木鉢１０全体の高さ寸法変更することができる（図２（Ｂ）参照）。
【００２３】
なお、本例ではスライド部材１２が側壁部１１の内側に設けられているが、例えば図３に示すように、スライド部材１２は、側壁部１１の外側に設けられた構成としてもよい。この場合、例えばスライド部材を弾性体で形成することにより、側壁部１１とスライド部材１２が接する状態（図３（A）参照）であっても、スライド部材１２だけを上方向に移動させて、係合部材１６を用いて固定することが可能となるように構成すればよい（図３（B）参照）。さらに、スライド部材１２は植木鉢１０に対して取り外し可能となるように形成されていてもよい。
【００２４】
なお、係合孔１４，１５は、それぞれ側壁部１１とスライド部材１２において上下方向に複数形成されていてもよい。このような構造とすることで、植木鉢１０の全体の高さ寸法を段階的に変更することができるようになる。
【００２５】
次に、植木鉢１０を使用して行う栽培方法を説明する。
【００２６】
先ず、栽培対象となる植物の生育段階を、複数の段階に分ける。本例においては、栽培対象として市販のニンジンＡの生育段階を、第１から第２生育段階に分類した。なお、ニンジンＡの根が植木鉢１０内の用土の地表に露出するまでを「第１生育段階」とし、それ以降を「第２生育段階」とした。なお、ニンジンは、生長すると根を地表に露出させやすい植物である。
【００２７】
次に、図４（Ａ）に示すように、植木鉢１０に、第１生育段階に適した用土２０ａを充填し、苗の状態のニンジンＡを植える。本例において用土２０ａは、赤土、堆肥、過燐酸石灰、化成肥料、その他を混合したものを使用した。
【００２８】
用土２０ａの中にニンジンＡの根が十分に着根し、地表面にニンジンＡの根が露出したら、スライド部材１２を上方向にスライドさせることで係合孔１４，１５を位置合わせし、そこに係合部材１６を嵌入させることでスライド部材１２を固定する。そして、用土２０の地表面に露出したニンジンＡの根を覆うように第２生育段階に適した用土２０ｂを増土する。図４（Ｂ）は、このときの植木鉢１０の状態を示す断面図である。図４（Ｂ）に示すように、スライド部材１２により植木鉢１０の容量最初段階（図４（Ａ））より増加しているは。なお、本例において用土２０ｂは、赤土、堆肥、過燐酸石灰、化成肥料、その他を混合したものを使用した。
【００２９】
以上に説明したように、上述した一実施の形態では、側壁部１１と底壁部１７とによって形成され、上面が開口した植物の栽培に用いる植物栽培用容器（例えば植木鉢１０）は、植木鉢１０の高さ方向の寸法を調節する高さ寸法調節機構（例えばスライド部材１２とその固定手段）を備えたことを特徴とする構造としているので、植物の栽培を開始するときに、予め増土に必要なスペースを考慮せずに容器に用土を充填しても、栽培対象とした植物の生長の程度に合わせて容器の上面に増土を行うことができるようになる。
【００３０】
すなわち、高さ寸法調節機構により容器全体の高さ寸法を変更することができるので、栽培対象とした植物が生長してその根が地表に露出した場合に、必要なだけ容器の高さ寸法を高くすることで、容器の上面に増土を行うことができるようになる。
【００３１】
また、上述した実施の形態では、高さ寸法調節機構は、側壁部１１に対して上下方向にスライド可能なスライド部材１２と、スライド部材１２を所定の位置で固定する固定手段（例えば係合孔１４，１５と係合部材１６）からなる構造とされているので、必要な増土量に応じて、容器の増土可能量を容易に調節することができる。
【００３２】
また、上述した実施の形態では特に言及していないが、側壁部１１とスライド部材１２のうち、容器（例えば植木鉢１０）の中心からみて外側に配設されたものには複数の係合孔が形成され、内側に配設されたものには複数の係合凹部もしくは係合孔が形成されており、スライド部材１２の固定手段は、係合孔と係合凹部もしくは係合孔に嵌入可能な係合部を備え、側壁部１１に取り付け可能な係合部材からなる構造とされていてもよい。このような構造とすることで、係合部材により、スライド部材をより安定して固定することができるようになる。
【００３３】
また、上述した実施の形態では、スライド部材１２の固定手段は、係合孔１４，１５と係合部材１６からなるものとしていたが、固定手段は、側壁部１１とスライド部材１２の一方に複数の係合凹部が形成され、他方には、複数の係合凸部が形成され、これらを嵌合することからなる構造とされていてもよい。この場合、例えば、図５に示すように、植木鉢１０の側壁部１１には係合凹部２１が形成され、スライド部材１２には係合凸部２２が形成された構造とすればよい。なお、スライド部材１２を上下方向へ移動させるとき、係合凹部２１と係合凸部２２がスムーズに離脱・嵌合するようにするために、これらはゴムなどの弾性体で形成されていることが好ましい。
【００３４】
また、上述した実施の形態で簡単に説明したように、スライド部材１２はゴムなどの弾性体で形成されていることが好ましい。スライド部材１２が弾性体で形成されることにより、側壁部１１とスライド部材１２が、底壁部１７から上面に向かい徐々にその開口面積が広がる形に形成されていても、スライド部材１２を上下方向に移動させたときに側壁部１１との間に隙間が生じることを防止することができる。
【００３５】
すなわち、例えば、図５は、スライド部材１２が、底壁部１７と接する位置にあるときには圧縮された状態となるような構造とし、そこからスライド部材１２を上方向に移動した場合に、圧縮力が減少することにより体積が広がり、その結果側壁部１１との間に隙間が生じていない状態を表している。
【００３６】
また、上述した実施の形態では特に言及していないが、スライド部材１２が側壁部１１の内側に形成され、さらにその内側に、用土を充填する生育部を有する構造としてもよい。このような構造とすることで、例えば、図６に示すように、生育部２３の内側に用土２０を充填したときに、スライド部１２を用土２０に触れさせずにスライド移動させることができるようになる。
【００３７】
また、上述した実施の形態では、スライド部材１２を１つ有し、１段のスライド移動を行う場合について説明したが、スライド部材を２つ以上設けて、スライド部材同士にも固定手段を有する構成としてもよい。
【００３８】
また、上述した実施の形態では、植物の栽培方法であって、栽培対象とする植物（例えばニンジン）の生育段階を２以上の段階に分類し、側壁部と１１底壁部１７とによって形成され、上面が開口した植物の栽培に用いる植物栽培用容器であって、容器の高さ方向の寸法を調節する高さ寸法調節機構を備えた植物栽培用の容器（例えば植木鉢１０）を用意し、容器に、第１生育段階に応じた肥料を混合した用土（例えば用土２０ａ）を充填し、植物の種若しくは苗を植え付け、種若しくは苗の成長が第２生育段階に至ったときに、  前記第1生育段階に応じた肥料を混合した用土の上から第２生育段階に応じた用土（用土２０ｂ）を追加し、以後、栽培対象とする植物の成長に応じて、次の生育段階に応じた用土を追加していき、容器の側壁部の上端付近まで用土が充填された場合に、前記高さ寸法調節機構により前記容器の高さ寸法を調節することにより、生育を進行させることを特徴とする構成としたので、植物の栽培を開始するときに、予め増土に必要なスペースを考慮せずに容器に用土を充填しても、栽培対象とした植物の生長の程度に合わせて容器の上面に増土を行うことができるようになる。
【００３９】
なお、上述した実施の形態では、栽培対象としてニンジンを用いたが、他の根菜類や葉菜（葉野菜）、果菜などであってもよい。
【産業上の利用可能性】
【００４０】
本発明によれば、植植物の栽培を開始するときに、予め増土に必要なスペースを考慮せずに容器に用土を充填しても、栽培対象とした植物の生長の程度に合わせて容器の上面に増土を行うことができるようするのに有用である
【符号の説明】
【００４１】
１０          植木鉢  
１１          側壁部
１２          スライド部材
１３          摘み部
１４          係合孔
１５          係合孔
１６          嵌合部材
１７          底壁部
２０          用土
２１          係合凹部
２２          係合凸部
２３          生育部
【図１】
2010233494.tif 000003
【図２】
2010233494.tif 000004
【図３】
2010233494.tif 000005
【図４】
2010233494.tif 000006
【図５】
2010233494.tif 000007
【図６】
2010233494.tif 000008